(57)【要約】【課題】マイクロ波アシスト記録方式を採用した磁気記録装置において、正極性側のマイクロ波周波数と負極性側のマイクロ波周波数をともに最適に調整する。【解決手段】本発明に係る磁気記録装置は、正極性側の電流波形と負極性側の電流波形が非対称なライト電流を、磁気ヘッドに供給する。【選択図】図４
2013048001.tif 000002
【特許請求の範囲】
【請求項１】
情報を記録する磁気記録媒体と、
前記磁気記録媒体に磁界を印加する磁気ヘッドと、
高周波磁界を発生させるスピントルクオシレーターと、
前記磁気記録媒体に情報を書き込む磁界を発生させるためのライト電流を前記磁気ヘッドに供給する電流供給回路と、
を備え、
前記スピントルクオシレーターは、
前記ライト電流によって発振するように構成されており、
前記電流供給回路は、
正極性側の電流波形と負極性側の電流波形が非対称な前記ライト電流を、前記磁気ヘッドに供給する
ことを特徴とする磁気記録装置。
【請求項２】
前記電流供給回路は、
前記ライト電流の正極性側のピーク電流の絶対値と負極性側のピーク電流の絶対値のうちいずれか一方を他方よりも大きくすることにより、前記ライト電流の正極性側の電流波形と負極性側の電流波形を非対称にする
ことを特徴とする請求項１記載の磁気記録装置。
【請求項３】
前記電流供給回路は、
前記ライト電流の極性を反転させるとき、定常時の前記ライト電流よりも絶対値が大きいオーバーシュート電流を前記磁気ヘッドに供給し、
正極性側の前記オーバーシュート電流のピークの絶対値と負極性側のピークの絶対値のうちいずれか一方を他方よりも大きくすることにより、前記ライト電流の正極性側の電流波形と負極性側の電流波形を非対称にする
ことを特徴とする請求項２記載の磁気記録装置。
【請求項４】
前記電流供給回路は、
前記ライト電流の極性を反転させるとき、定常時の前記ライト電流よりも絶対値が大きいオーバーシュート電流を前記磁気ヘッドに供給し、
前記オーバーシュート電流のピークを所定時間維持することにより、前記ライト電流の正極性側の電流波形と負極性側の電流波形を非対称にする
ことを特徴とする請求項２記載の磁気記録装置。
【請求項５】
前記ライト電流を用いて前記磁気記録媒体に情報を書き込むときのエラーレートを測定するエラーレート測定部を備え、
前記電流供給回路は、
前記ライト電流を用いてテスト書き込みを実施してそのときの前記エラーレートを取得し、
前記エラーレートが所定条件を満たすまで、前記ライト電流の波形を変更して前記テスト書き込みを繰り返す
ことを特徴とする請求項１記載の磁気記録装置。
【請求項６】
前記電流供給回路は、
前記ライト電流の正極性側の電流振幅と負極性側の電流振幅のうちいずれか一方を他方よりも大きくすることにより、前記ライト電流の正極性側の電流波形と負極性側の電流波形を非対称にする
ことを特徴とする請求項１記載の磁気記録装置。
【請求項７】
前記電流供給回路は、
前記ライト電流の正極性側と負極性側のうちいずれか一方に、直流成分を付加することにより、前記ライト電流の正極性側の電流波形と負極性側の電流波形を非対称にする
ことを特徴とする請求項１記載の磁気記録装置。
【発明の詳細な説明】
【技術分野】
【０００１】
本発明は、磁気記録装置に関するものである。
【背景技術】
【０００２】
ＨＤＤ（Ｈａｒｄ  Ｄｉｓｋ  Ｄｒｉｖｅ）の記録密度向上にともない、記録媒体のビットサイズは微細化が進んでいる。しかし、ビットサイズの微細化が進むにつれ、熱揺らぎによる記録状態の消失が懸念される。この問題を解決し、高密度記録で記録ビットを安定に維持するためには、保磁力の大きな（すなわち磁気異方性の大きな）記録媒体を使用する必要がある。
【０００３】
保磁力の大きな記録媒体に情報を記録するためには、強い記録磁界が必要である。しかし実際には、記録ヘッドの狭小化、および利用できる磁性材料の制限により、記録磁界強度にも上限がある。そのため、記録媒体の保磁力は、記録ヘッドが発生することができる記録磁界の大きさによって制約される。
【０００４】
このように、媒体の高い熱安定性と、記録しやすい保磁力という、相反する要求に応えるため、各種の補助手段を使って記録媒体の保磁力を記録時のみ実効的に低くする記録手法が考案されている。磁気ヘッドとレーザなどの加熱手段を併用して情報を記録する熱アシスト記録などがその代表である。
【０００５】
一方、記録ヘッドからの記録磁界に高周波磁界を併用することにより、記録媒体の保磁力を局所的に低減させて情報を記録する手法も存在する。例えば、下記特許文献１には、高周波磁界により磁気記録媒体をジュール加熱あるいは磁気共鳴加熱し、記録媒体の保磁力を局所的に低減させ、情報を記録する技術が開示されている。このような高周波磁界と磁気ヘッド磁界との磁気共鳴を利用する記録手法（以降、マイクロ波アシスト記録という）では磁気共鳴を利用するので、反転磁界の低減効果を得るためには、記録媒体の異方性磁界に比例する、強い高周波磁界を印加することが必要である。
【０００６】
下記非特許文献１には、外部からのバイアス磁界なしに発振するスピントルク発振器に関する計算結果が開示されている。
【０００７】
下記非特許文献２には、垂直磁気ヘッドの主磁極に隣接した磁気記録媒体の近傍に、スピントルクによって磁化が高速回転する磁化高速回転体（Ｆｉｅｌｄ  Ｇｅｎｅｒａｔｉｏｎ  Ｌａｙｅｒ：ＦＧＬ）を配置してマイクロ波（高周波磁界）を発生させ、磁気異方性の大きな磁気記録媒体に情報を記録する技術が開示されている。
【０００８】
下記非特許文献３には、ＦＧＬに近接する主磁極の磁界を利用してＦＧＬの回転方向を制御するスピントルク発振器が開示されている。これにより、効率的に、媒体のマイクロ波アシスト磁化反転が実現できるとされている。
【０００９】
また、ライト電流を利用した記録補償方法として、書き込み補償（ライトプリコンペンセーション）がある。これは、高記録密度化によりビット間の磁化が相互に干渉することによって生じる、ノンリニアビットシフト（ＮＬＴＳ：Ｎｏｎ−Ｌｉｎｅａｒ  Ｔｒａｎｓｉｔｉｏｎ  Ｓｈｉｆｔ）を補償する方法である。同手法では、情報を記録するときにあらかじめ特定されたビットの位相をシフトすることにより、ピークシフトが問題になる特定のビット配列のデータを調整する。
【先行技術文献】
【特許文献】
【００１０】
【特許文献１】特開平６−２４３５２７号公報
【非特許文献】
【００１１】
【非特許文献１】X. Zhu and J. G. Zhu, “Bias-Field-Free Microwave Oscillator Driven by Perpendicularly Polarized Spin Current”, IEEE TRANSACTIONS ON MAGNETICS, P2670 VOL.42, NO.10 (2006)
【非特許文献２】J. G. Zhu and X. Zhu, “Microwave Assisted Magnetic Recording”, The Magnetic Recording Conference (TMRC) 2007 Paper B6 (2007)
【非特許文献３】J. Zhu and Y. Wang, “Microwave Assisted Magnetic Recording with Circular AC Field Generated by Spin Torque Transfer”, MMM Conference 2008 Paper GA-02 (2008)
【発明の概要】
【発明が解決しようとする課題】
【００１２】
マイクロ波アシスト記録方式において、スピントルクオシレーターから発生したマイクロ波磁界によるアシスト効果を効率よく発揮させるためには、マイクロ波磁界の周波数が記録媒体の磁気共鳴周波数と一致することが重要である。これは、マイクロ波アシスト記録方式においては、マイクロ波磁界と媒体磁化とを強磁性共鳴させることより、媒体磁化の保持力を大幅に低下させ、結果として記録媒体の磁化反転磁界を大きく低減させるためである。
【００１３】
非特許文献３のように、主磁極から発生する磁界を利用してアシスト効果を効率よく発揮させる構造を採用している場合、主磁極磁界には、正磁界（媒体に下向きに印加される磁界）と負磁界（媒体に上向きに印加される磁界）が存在する。正負磁界によってスピントルクオシレーターには正負の磁界が印加される。
【００１４】
マイクロ波磁界周波数は、スピントルクオシレーターに印加される磁界強度に対して相関があることが知られており、磁界強度が高くなるにつれて、マイクロ波周波数は高くなる。これは、スピントルクオシレーターに流れるスピンからＦＧＬが受けるスピントルクと、外部磁界とが釣り合うことによってスピントルク発振が生じ、スピントルクオシレーターが外部から強い磁界を受けると、ＦＧＬの磁化の緩和時間が短くなって磁化回転が速くなるためである。このことは同時に、ＦＧＬ磁化の発振周波数が高くなること、つまりマイクロ波磁界の周波数も同時に高くなることを示している。
【００１５】
スピントルクオシレーターから発生するマイクロ波周波数は、主磁極からスピントルクオシレーターに印加される磁界が正負極性とも等しい絶対値を有する場合でも、スピントルクオシレーターの形状や膜特性によっては、正負極性間で非対称になってしまう可能性がある。この場合、正磁界中におけるマイクロ波周波数が記録媒体にとって最適であっても、負磁界中におけるマイクロ波周波数が記録媒体にとって最適な周波数からずれてしまう現象が生じてしまう。そのため、マイクロ波のアシスト効果を最大限に利用することができず、信号品質を示す指標であるＳＮＲ（Ｓｉｇｎａｌ  ｔｏ  Ｎｏｉｓｅ  Ｒａｔｉｏ）が悪化してしまう可能性が懸念される。
【００１６】
本発明は、上記のような課題を解決するためになされたものであり、マイクロ波アシスト記録方式を採用した磁気記録装置において、正極性側のマイクロ波周波数と負極性側のマイクロ波周波数をともに最適に調整することを目的とする。
【課題を解決するための手段】
【００１７】
本発明に係る磁気記録装置は、正極性側の電流波形と負極性側の電流波形が非対称なライト電流を、磁気ヘッドに供給する。
【発明の効果】
【００１８】
本発明に係る磁気記録装置によれば、ライト電流を極性ごとに調整することにより、正負磁界中におけるマイクロ波周波数を等しくすることができる。これにより、記録媒体にとって最適なマイクロ波周波数を利用して情報を記録することができる。したがって、マイクロ波アシスト効果を最大限に利用した磁気記録装置を提供することができる。
【図面の簡単な説明】
【００１９】
【図１】実施形態１に係る磁気記録装置１０００の構成図である。
【図２】磁気ヘッド０１０の模式図である。
【図３】記録ヘッド部１００とその一部であるスピントルクオシレーター１１０の詳細構成を示す図である。
【図４】ライト電流３０３のタイムチャートである。
【図５】主磁極１２０とシールド１３０の間でスピントルクオシレーター１１０に印加される磁界とマイクロ波周波数の実験例を示す図である。
【図６】正負極性間のマイクロ波周波数のずれと信号品質の関係を示す図である。
【図７】磁気記録装置１０００がライト電流３０３を最適化する処理を示すフローチャートである。
【図８】実施形態２におけるライト電流３０７のタイムチャートである。
【発明を実施するための形態】
【００２０】
以下、図面を参照して本発明の実施の形態を説明する。理解を容易にするため、以下の図において同じ機能部分には同一の符号を付して説明する。
【００２１】
＜実施の形態１＞
図１は、本発明の実施形態１に係る磁気記録装置１０００の構成図である。磁気記録装置１０００は、磁気ディスク００１、磁気ヘッド０１０を備える磁気ディスク装置である。磁気ヘッド０１０は、後述するスピントルクオシレーター１１０を有している。
【００２２】
磁気ディスク００１は、ディスクの中央を固定されている。スピンドルモーター（ＳＰＭ）００２は、磁気ディスク００１を回転させる。アクチュエーター００３は、磁気ヘッド０１０の位置を固定する。ボイスコイルモーター００４は、アクチュエーター００３を駆動することにより、磁気ヘッド０１０を磁気ディスク００１上で半径方向に移動させることができる。
【００２３】
磁気記録装置１０００はさらに、ヘッドアンプＩＣ００５、リードライトチャネル（Ｒ／Ｗチャネル）００６、ハードディスクコントローラ（ＨＤＣ）／マイクロプロセッサ（ＭＰＵ）集積回路００７（以下、ＨＤＣ／ＭＰＵ００７）を備える。
【００２４】
ＨＤＣ／ＭＰＵ００７は、外部ホストからの書き込みデータを受信し、Ｒ／Ｗチャネル００６を介して、ヘッドアンプＩＣ００５に伝送する。ヘッドアンプＩＣ００５は、Ｒ／Ｗチャネル００６から供給されたライト信号３０２に対応したライト電流３０３を磁気ヘッド０１０に供給する。磁気ヘッド０１０は、ライト電流３０３に対応する信号を磁気ディスク００１に書き込む。
【００２５】
磁気ヘッド０１０は、磁気ディスク００１に記憶されているデータをリード信号３０４として読み出す。ヘッドアンプＩＣ００５は、リード信号３０４を増幅し、Ｒ／Ｗチャネル００６を介して、ＨＤＣ／ＭＰＵ００７から外部ホストに出力する。
【００２６】
ヘッドアンプＩＣ００５はさらに、スピントルクオシレーター１１０にスピンを供給するための駆動信号（電流または電圧）３０１を生成するＳＴＯ電流印加装置を含む。
【００２７】
本発明における「電流供給回路」「エラーレート測定部」は、ヘッドアンプＩＣ００５がこれに相当する。
【００２８】
図２は、磁気ヘッド０１０の模式図である。磁気ヘッド０１０は、記録ヘッド部１００と再生ヘッド部２００を備える、記録再生分離ヘッドである。
【００２９】
記録ヘッド部１００は、スピントルクオシレーター１１０、主磁極１２０、コイル１６０を備える。スピントルクオシレーター１１０は、高周波磁界を発生する。主磁極１２０は、記録ヘッド磁界を発生する。コイル１６０は、主磁極１２０に磁場を励磁する。さらに、主磁極１２０のトレーリング方向にトレーリングシールド１３０を設けることができる。
【００３０】
トレーリング方向は、磁気ヘッド０１０の記録媒体に対する進行方向とは反対の方向である。リーディング方向は、磁気ヘッド０１０の媒体対に対する進行方向である。図２には示していないが、主磁極１２０のトラック幅方向の外側にサイドシールドを設けてもよい。
【００３１】
図２に示す構成では、磁気ディスク００１に対する磁気ヘッド０１０の進行方向から見て、再生ヘッド部２００が先頭で記録ヘッド部１００が後方の配置としているが、磁気ヘッド０１０の進行方向から見て記録ヘッド部１００が先頭で再生ヘッド部２００が後方になるように配置を逆転した構成でもよい。
【００３２】
再生ヘッド部２００は、再生センサ２１０、下部磁気シールド２２０、上部磁気シールド２３０を備える。再生センサ２１０は、記録信号を再生する役割を担うことさえできれば任意の構成を採用することができる。再生センサ２１０の構成としては、いわゆるＧＭＲ（Ｇｉａｎｔ  Ｍａｇｎｅｔｏ−Ｒｅｓｉｓｔｉｖｅ）効果を有する再生センサでもよいし、ＴＭＲ（Ｔｕｎｎｅｌｉｎｇ  Ｍａｇｎｅｔｏ−Ｒｅｓｉｓｔｉｖｅ）効果を有する再生センサでもよいし、ＥＭＲ（Ｅｌｅｃｔｒｏ  Ｍｅｃｈａｎｉｃａｌ  Ｒｅｓｏｎａｎｔ）効果を有する再生センサでもよい。また、外部磁界に対して逆極性の応答をする２つ以上の再生センサを有するいわゆる差動型再生センサでもよい。下部磁気シールド２２０と上部磁気シールド２３０は、再生信号品質を向上させるために重要な役割を担うため、設けることが好ましい。
【００３３】
図３は、記録ヘッド部１００とその一部であるスピントルクオシレーター１１０の詳細構成を示す図である。図中に示す垂直記録媒体００１の記録層は、磁気的にＡＢＳ（Ａｉｒ  Ｂｅａｒｉｎｇ  Ｓｕｒｆａｃｅ）面と垂直な方向に磁化される。
【００３４】
磁気ディスク００１は、一般的には、保護膜、記録層、軟磁性下地層などから構成される。磁気ディスク００１は、各ビットが連続して存在するいわゆる連続媒体でもよいし、複数のトラック間に記録ヘッドが情報を書き込むことができない非磁性領域が設けられている、いわゆるディスクリートトラックメディアでもよい。また、基板上に、凸状の磁性パターンと磁性パターン間の凹部を充填する非磁性体とを含む、いわゆるパターンド媒体でもよい。
【００３５】
磁気ヘッド部１００のスピントルクオシレーター１１０は、ＦＧＬ１１１、中間層１１２、スピン注入固定層１１３、回転ガイド層１１４を有する。ＦＧＬ１１１は、高周波磁界を発生する。中間層１１２は、スピン透過性の高い材料を用いて構成されている。スピン注入固定層１１３は、ＦＧＬ１１１にスピントルクを与える。回転ガイド層１１４は、ＦＧＬ１１１の磁化回転を安定化させるための層である。
【００３６】
主磁極１２０とトレーリングシールド１３０は、スピントルクオシレーター１１０に対する電極としても利用される。電流は、スピントルクオシレーター１１０の膜面に対して垂直に流す。この電流により、スピントルクオシレーター１１０にスピンを注入することができる。
【００３７】
スピントルクオシレーター１１０の構成は、図３に示すように主磁極１２０側から回転ガイド層１１４、ＦＧＬ１１１、中間層１１２、スピン注入固定層１１３の順に積層してもよいし、反対に主磁極１２０側からスピン注入固定層１１３、中間層１１２、ＦＧＬ１１１、回転ガイド層１１４の順に積層してもよい。
【００３８】
スピントルクオシレーター１１０の総膜厚の下限は特にないが、上限は２００ｎｍ程度である。これは、スピントルクオシレーター１１０の総膜厚が厚すぎると主磁極１２０とトレーリングシールド１３０の間の距離が広がりすぎ、スピントルクオシレーター１１０に印加させる主磁極１２０からの磁界の減衰が激しくなり、ＦＧＬ１１１の高周波発振が持続できなくなるためである。
【００３９】
本実施形態１において、中間層１１２の材料はＣｕであり、膜厚は２ｎｍである。中間層１１２の材料としては、非磁性体の導電性材料であることが好ましく、例えばＡｕ、Ａｇ、Ｐｔ、Ｔａ、Ｉｒ、Ａｌ、Ｓｉ、Ｇｅ、Ｔｉなどを用いることができる。
【００４０】
本実施形態１において、スピン注入固定層１１３の材料はＣｏ／Ｐｔであり、膜厚は１０ｎｍである。また、本実施形態１で用いたＣｏ／Ｐｔの垂直異方性磁界Ｈｋは８ｋＯｅである。スピン注入固定層１１３の材料として、垂直異方性を持った材料を用いることにより、ＦＧＬ１１１の発振を安定させることができる。例えばＣｏ／Ｐｔの他に、Ｃｏ／Ｎｉ、Ｃｏ／Ｐｄ、ＣｏＣｒＴａ／Ｐｄなどの人工磁性材料を用いることが好ましい。ＦＧＬ１１１と同様の材料を用いることもできる。
【００４１】
本実施形態１において、回転ガイド層１１４の材料は、垂直異方性エネルギーを持ったＣｏ／Ｎｉであり、膜厚は１０ｎｍである。本実施形態１におけるＣｏ／Ｎｉの垂直異方性磁界Ｈｋは５ｋＯｅである。回転ガイド層１１４もスピン注入固定層１１３と同様の材料を用いることが好ましい。
【００４２】
スピントルクオシレーター１１０を以上のような構成とすることにより、高周波磁界を磁気ディスク００１に印加することができる。
【００４３】
本実施形態１において、主磁極１２０とトレーリングシールド１３０の構成としては、飽和磁化が大きく結晶磁気異方性がほとんどないＣｏＦｅ合金のような材料を用いることが好ましい。ＦＧＬ１１１の材料は、ＦｅＣｏ合金の他に、ＮｉＦｅ合金、ＣｏＦｅＧｅ、ＣｏＭｎＧｅ、ＣｏＦｅＡｌ、ＣｏＦｅＳｉ、ＣｏＭｎＳｉ、ＣｏＦｅＳｉなどのホイスラー合金、ＴｂＦｅＣｏなどのＲｅ−ＴＭ系アルモファス系合金、ＣｏＣｒ系合金などでもよい。また、ＣｏＩｒなど負の垂直異方性エネルギーを持つ材料でもよい。
【００４４】
以上、本実施形態１に係る磁気記録装置１０００の構成を説明した。以下では、磁気ディスク００１に情報を書き込むためのライト電流について説明する。
【００４５】
主磁極１２０から発生される磁界は、ライト電流をコイル１６０に通電し、電磁誘導によって主磁極１２０を励磁することにより発生させる。従来技術において、コイル１６０に通電するライト電流は、正負極性の双方について対称な大きさで通電している。これに対して本発明では、ライト電流の大きさを極性ごとに調整し、マイクロ波アシスト効果を高めることを図る。
【００４６】
図４は、ライト電流３０３のタイムチャートである。比較のため、図４（ａ）には従来技術におけるライト電流３０３の波形を示し、図４（ｂ）には本発明におけるライト電流３０３の波形を示した。
【００４７】
ライト電流３０３は、主磁極１２０から正負磁界を発生させるため、正極性と負極性が交互に切り替わる。ライト電流３０５は、ライトプリコンペンセーションによって位相シフトしたものである。従来技術では、ＮＬＴＳによって生じた位相のシフトを再生信号に基づき事前に把握することにより、位相をシフトさせている。
【００４８】
本発明におけるライト電流３０６は、ライト電流３０３の正負いずれかの極性において出力をシフトさせている。ヘッドアンプＩＣ００５は、ライト電流３０６を片側極性ごとに調整することにより、マイクロ波アシスト効果が十分に発揮できるようにする。
【００４９】
ライト電流３０３の出力をシフトさせる方法としては、例えばヘッドアンプＩＣ００５がライト電流３０３に正負いずれかの直流成分を付加してもよいし、Ｒ／Ｗチャネル００６がライト信号３０２をシフトさせてもよいし、ヘッドアンプＩＣ００５がライト電流３０３をシフトさせてもよい。
【００５０】
以下では、ライト電流３０３を極性ごとに調整する理由、およびその調整による記録特性の改善効果について詳細に説明する。
【００５１】
図５は、主磁極１２０とシールド１３０の間でスピントルクオシレーター１１０に印加される磁界（ギャップ磁界：Ｈｇａｐ）とマイクロ波周波数の実験例を示す図である。スピントルクオシレーター１１０のトラック幅方向の幅Ｔｗは６０ｎｍ、素子高さ方向の高さＳＨは９０ｎｍ、駆動電流は６．５ｍＡである。
【００５２】
ギャップ磁界Ｈｇａｐは、ライト電流３０３がコイル１６０に流れることにより主磁極１２０を励磁した結果、主磁極１２０とトレーリングシールド１３０の間に発生するものであるため、ライト電流３０３の大きさと相関を持つ。そのため、図５の横軸をライト電流３０３と読みかえることができる。正極性のライト電流３０３を印加したとき、正方向のギャップ磁界Ｈｇａｐが印加されるものとする。
【００５３】
従来技術におけるマイクロ波磁気記録では、磁気ヘッド部１００は記録時に正負両極性で同じ大きさのライト電流３０３を用い、磁界を正負交互に発生させて記録する。同時にスピントルクオシレーター１１０に対しても、正負両極性で同じ大きさのライト電流３０３から発生した磁界が印加される。この場合、スピントルクオシレーター１１０へ印加された磁界に対して、正負極性で対称に同じマイクロ波周波数が発生する。そのマイクロ波が記録媒体の磁気共鳴周波数に一致すれば、高いアシスト効果を得ることができる。
【００５４】
しかし、図５の実験例に示すように、実際のスピントルクオシレーター１１０においては、正極性の磁界によって発生するマイクロ波の周波数依存性４０１と、負極性の磁界によって発生するマイクロ波の周波数依存性４０２との間には、大きな違いがある。
【００５５】
例えば図５において、正極性の磁界が＋６ｋＯｅである場合、マイクロ波周波数は１４ＧＨｚであるのに対し、負極性の磁界が−６ｋＯｅである場合は、マイクロ波周波数は１１．５ＧＨｚとなり、極性間で３．５ＧＨｚの差が発生してしまうことが確認されている。
【００５６】
一方、本発明に係る磁気記録装置１０００は、ライト電流３０３を極性毎に調整する。例えば、負極性の磁界−６ｋＯｅに対応するライト電流３０３の値を、正極性の磁界＋３．５ｋＯｅに対応する値とすることにより、マイクロ波周波数を両極性ともに１１．５ＧＨｚに合わせることができる。
【００５７】
実際のマイクロ波アシスト磁気記録では、記録媒体の磁気共鳴周波数とマイクロ波周波数を一致させることが重要であるため、ライト電流３０３を極性ごとに調整することにより、両極性ともに等しいマイクロ波周波数を発生させ、最適な周波数で磁気記録をアシストすることができる。
【００５８】
次に、マイクロ波周波数が記録媒体にとって最適な周波数から外れたときの記録特性の低下量について説明する。
【００５９】
図６は、正負極性間のマイクロ波周波数のずれと信号品質の関係を示す図である。正極性におけるマイクロ波周波数が記録媒体にとって最適な周波数である場合において、負極性のマイクロ波周波数と記録媒体に最適な周波数の間のずれ量と、その状態で記録再生した時の信号品質（ＳＮＲ）との関係を数値計算すると、図６のようになる。この計算において、磁気ディスク００１は垂直記録媒体、スピントルクオシレーター１１０のトラック幅方向の幅Ｔｗは４０ｎｍ、素子高さ方向の高さＳＨは４０ｎｍと想定した。
【００６０】
図６の横軸は、負極性のライト電流３０３が印加されているときのマイクロ波周波数と、正極性のライト電流３０３が印加されているときのマイクロ波周波数との差分である。正極性におけるマイクロ波周波数は一定としている。図６の縦軸は、ライト電流３０３の周波数を、最大動作周波数の２分の１（周期Ｔの２倍）としたときのＳＮＲ（２Ｔ−ＳＮＲ）である。
【００６１】
曲線５０１は、負極性時の周波数が、正極性時の周波数よりも高周波数側にシフトした時の関係性を示す。曲線５０２は、負極性時の周波数が、正極性時の周波数よりも低周波数側にシフトした時の関係性を示す。
【００６２】
図６に示すように、負極性時のマイクロ波周波数が正極性時のマイクロ波周波数と同じ時（ΔＦｒｅｑｕｅｎｓｙ＝０ＧＨｚ）に最大のＳＮＲとなり、高周波側・低周波側ともに正極性時の周波数から離れるにしたがって、信号品質が落ちていくことがわかる。例えば、負極性時のマイクロ波周波数が４ＧＨｚシフトした場合は、最適な周波数と比べてＳＮＲが２ｄＢ低下することがわかる。
【００６３】
本発明に係る磁気記録装置１０００は、ライト電流３０６の極性毎の大きさを調整し、スピントルクオシレーター１１０が発生するマイクロ波周波数を極性ごとに調整することにより、マイクロ波周波数が記録媒体の共鳴周波数とミスマッチすることによるアシスト効果の劣化を防ぎ、マイクロ波アシスト記録の効果を最大限に生かすことができる。
【００６４】
図７は、磁気記録装置１０００がライト電流３０３を最適化する処理を示すフローチャートである。以下、図７の各ステップについて説明する。
【００６５】
（図７：ステップＳ７０１）
ヘッドアンプＩＣ００５は、主磁極１２０とトレーリングシールド１３０の電極からスピントルクオシレーター１１０に対し駆動電流を印加し、スピンを注入する。例えば、駆動電流として電流密度が１×１０８Ａ／ｃｍ２の電流を印加する。これにより、スピントルクオシレーター１１０を構成するスピン注入層１１３からＦＧＬ１１１へスピンを注入する状態にする。この段階では、スピントルクオシレーター１１０に磁界が印加されていないため、ＦＧＬ１１１は発振していない。
【００６６】
（図７：ステップＳ７０２）
ヘッドアンプＩＣ００５は、主磁極１２０を励磁するため、コイル１６０にライト電流３０３を通電する。ここでは、テスト書き込みとして、正負極性が対称である従来のライト電流を印加する。例えば、３２ｍＡのライト電流３０３を印加する。
【００６７】
（図７：ステップＳ７０３）
ヘッドアンプＩＣ００５は、ステップＳ７０２で印加したライト電流３０３の下でエラーレートを測定し、正負極性が対称な状態の下における最適なライト電流３０３を決定する。ここでは、正負両極性において、ライト電流３０３に応じた磁界が主磁極１２０から発生し、それと同時にスピントルクオシレーター１１０にも磁界が印加される。ＦＧＬ１１１は、磁界によるトルクと駆動電流によるトルクがつり合うことにより、スピントルク発振をしている。
【００６８】
（図７：ステップＳ７０４）
ヘッドアンプＩＣ００５は、片側極性の電流値をシフトさせたライト電流３０６を印加する。例えば、ライト電流３０３の振幅を正極性側のみ１０％増幅させる。振幅を増幅した正極性側では、その電流量に応じた磁界が主磁極１２０から発生する。ライト電流３０６の正極性側で発生する磁界は、負極性側での磁界よりも大きくなるため、増幅した正磁界側ではマイクロ波周波数が負極性側よりも高周波側へシフトする。
【００６９】
（図７：ステップＳ７０５）
ヘッドアンプＩＣ００５は、コイル１６０にライト電流３０６を通電した状態でエラーレートを測定する。
【００７０】
（図７：ステップＳ７０６）
ヘッドアンプＩＣ００５は、ステップＳ７０５で測定したエラーレートが最適値に収束している場合は本フローチャートを終了し、収束していない場合はステップＳ７０４へ戻って同様の処理を繰り返す。ただし、ステップＳ７０４〜Ｓ７０５を２回目以降に実施するときは、それ以前に使用したものとは異なる波形（振幅）のライト電流３０６を用いることとする。ステップＳ７０４〜Ｓ７０６を繰り返すことにより、正負両極性ともにマイクロ波周波数を最適な値にするライト電流３０６を探索することができる。
【００７１】
＜実施の形態１：まとめ＞
以上のように、本実施形態１に係る磁気記録装置１０００は、正負両極性ともに等しいマイクロ波周波数を発生させることができるため、両極性のマイクロ波磁界を、記録媒体にとって最適な磁気共鳴周波数に一致させることができる。これにより、マイクロ波アシスト効果を最大限に利用することができる。
【００７２】
＜実施の形態２＞
実施形態１では、ライト電流３０３の振幅を正負いずれかの側においてシフトさせることにより、ライト電流３０３を正負極性間で非対称な波形とし、いずれの極性側においてもマイクロ波周波数を最適に調整する例を説明した。本発明の実施形態２では、ライト電流を調整する手段として、従来から用いられているオーバーシュート電流を用いる例を説明する。
【００７３】
オーバーシュート電流とは、ライト電流の極性が反転するとき、定常レベルのライト電流よりも高いレベルの電流を所定時間印加し、極性を急峻に反転させて書き込み速度を高めるためのものである。
【００７４】
実施形態１で説明したように、ライト電流３０３を正負極性間で非対称な波形とするためには、定常状態とは異なる波形のライト電流を印加する必要があり、そのための特別な回路構成などが必要になる。しかし、磁気記録装置１０００がオーバーシュート電流を印加する機能を備えている場合、これを流用してライト電流を変形されることができる。本実施形態２では、この点に着目し、オーバーシュート電流を用いてライト電流を調整することとした。
【００７５】
オーバーシュート電流を印加する機能は、具体的にはライト電流を印加する回路等と同様の機能部が備えることができるが、これに限られるものではなく、別途専用の回路などを設けてもよい。
【００７６】
図８は、本実施形態２におけるライト電流３０７のタイムチャートである。本実施形態２では、オーバーシュート電流を片側極性ごとにコントロールすることにより、正負両極性におけるマイクロ波周波数を調整する。具体的には、オーバーシュート電流を用いるライト電流３０７において、オーバーシュート電流のピーク値ＯＳを調整することにより、正負いずれかの側のライト電流ピーク（の絶対値）を、反対側のピーク（の絶対値）よりも大きくすることができる（ライト電流３０８）。
【００７７】
また、オーバーシュート電流のピーク値の他にも、ライト電流の極性が反転したときから所定時間（Ｄｕ）の間、そのピーク値を維持させることにより、ライト電流３０７を調整し、正負両極性におけるマイクロ波周波数を一定に維持することができる。
【００７８】
本発明は、上記の実施形態をそのまま使用することに限定されるものではなく、実施する段階において、その要旨を逸脱しない範囲内で構成する要素を変更することができる。また、上記の実施形態で示されている複数の構成要素は適宜に組み合わせることにより、種々の発明を形成することができる。例えば、実施形態で示した全構成要素から幾つかの構成要素を削除してもよいし、異なる実施形態に構成要素を適宜に組み合わせてもよい。
【符号の説明】
【００７９】
００１：磁気ディスク
００２：スピンドルモーター
００３：アクチュエーター
００４：ボイスコイルモーター
００５：ヘッドアンプＩＣ
００６：リードライトチャネル
００７：ハードディスクコントローラ
０１０：磁気ヘッド
１００：記録ヘッド部
１１０：スピントルクオシレーター
１１１：ＦＧＬ
１１２：中間層
１１３：スピン注入固定層
１１４：回転ガイド層
１２０：主磁極
１３０：トレーリングシールド
１６０：コイル
２００：再生ヘッド部
２１０：再生センサ
２２０：下部磁気シールド
２３０：上部磁気シールド
３０１：ＳＴＯ駆動信号
３０２：ライト信号
３０３：ライト電流
３０４：リード信号
【図１】
2013048001.tif 000003
【図２】
2013048001.tif 000004
【図３】
2013048001.tif 000005
【図４】
2013048001.tif 000006
【図５】
2013048001.tif 000007
【図６】
2013048001.tif 000008
【図７】
2013048001.tif 000009
【図８】
2013048001.tif 000010